【事件の表示】
　特願２００１−２７０９５８「冷蔵庫及びその制御方法」拒絶査定不服審判事件〔平成１４年１０月１８日出願公開、特開２００２−３０３４８４〕について、次のとおり審決する。
【結　論】
　本件審判の請求は、成り立たない。
【理　由】
１．手続の経緯
　本件審判請求に係る出願は、平成１３年９月６日（パリ条約による優先権主張２００１年３月２６日、大韓民国）の出願であって、平成１５年１２月１日付けで拒絶理由が通知され、平成１６年３月１０日に拒絶理由に対する意見書と補正書が提出され、平成１６年４月１３日付けで拒絶査定（発送：平成１６年４月２０日）がなされ、これに対し、同年７月２０日に拒絶査定に対する審判請求がなされたものである。
　
２．本願発明
　本願の請求項１に係る発明は、平成１６年３月１０日付手続補正により補正された特許請求の範囲の請求項１に記載された事項により特定される、次のとおりのものである（以下、「本願発明」という。）。
「少なくとも一つの貯蔵室と、前記貯蔵室の内部温度を調節する温度調節装置と、を備える冷蔵庫において、
　相互離れて設けられ、貯蔵室内の内部温度を感知する第１温度センサー及び第２温度センサーと；
　前記第１及び第２温度センサーの中で少なくとも何れか一つで感知された温度値が予め設定されている前記貯蔵室の設定温度の範囲内に属するかを判断して、前記温度調節装置の運転を制御する制御部と；を含み、
　前記第１及び第２温度センサーの中のいずれか一方は、前記貯蔵室の下部の一領域の表面に接触するように設けられて前記貯蔵室の表面温度を感知し、前記第１及び第２温度センサーの他方は、前記貯蔵室の上部の一領域に設けられて前記貯蔵室の内部空間の温度を感知し、
　前記制御部には、前記第１温度センサーで感知される温度値と比較される前記貯蔵室の第１設定温度の範囲と、前記第２温度センサーで感知される温度値と比較される前記貯蔵室の第２設定温度の範囲と、が設定されていることを特徴とする冷蔵庫。」
　     　
３．引用例に記載された発明と周知例に記載された技術的事項
（１）原査定の拒絶の理由に引用された特開平７−９１７９２号公報（以下「引用例」という。）には、次の事項が図面と共に記載されている。
　
ア．「また、扉の内面部側に上庫内温度センサを設け、本体の内底部側に下庫内温度センサを設け、これら温度センサからの検知信号に基づいてコンプレッサを駆動制御すると共に、切替電磁弁を駆動制御して冷媒を第１のエバポレータパイプ又は第２のエバポレータパイプへ切替供給するように構成したので、本体の上部開口部側の温度が上昇したような場合にも、コンプレッサを速やかに駆動させると共に、第１のエバポレータパイプへ冷媒を供給することができる。これにより、本体内を均一に冷却することができ、温度むらの発生を極力防止できる。」（第【００１０】段落）
     　
イ．「・・・・冷凍ストッカの概略全体構成を示す図１において、冷凍ストッカの本体１は、全体として矩形箱状をなしており、その上面開口部が扉２により開閉可能に構成されている。この扉２は、その後端辺部を回動支点としてそのまわりに回動可能に設けられており、もって、上開き式扉を構成している。上記本体１の４つの側壁部及び底壁部並びに扉２は、それぞれ断熱壁から構成されている。」（第【００１２】段落）
　　
ウ．「・・・・上記扉２の内面部における庫内灯７の近傍部位には、上庫内温度センサ８が配設されており、この上庫内温度センサ８により本体１内の上部周辺の温度並びに庫内灯７周辺の温度が検知されるようになっている。・・・・・本体１の内底部の右端部には、下庫内温度センサ１０が配設されており、この下庫内温度センサ１０により本体１内の下部周辺の温度が検知されるように構成されている。」（第【００１５】段落）
エ．「・・・・上記した冷凍ストッカに組み込まれている冷凍サイクルは、図２に示すように、コンプレッサ１１と、このコンプレッサ１１の吐出側に設けられたコンデンサ１２と、このコンデンサ１２の出口側に設けられた切替電磁弁１３と、この切替電磁弁１３の一方の出口側に設けられた第１のキャピラリチューブ１４並びに前記第１のエバポレータパイプ４及びアキュームレータ６と、上記切替電磁弁１３の他方の出口側に設けられた第２のキャピラリチューブ１５並びに前記第２のエバポレータパイプ５とから構成されている。・・・・」（第【００１６】段落）
　
オ．「・・・・上記した冷凍ストッカの電気的構成を示す図３において、運転制御手段である制御回路１７は、種々のＩＣやマイコン等から構成されている。この制御回路１７は、上庫内温度センサ８及び下庫内温度センサ１０からの検出信号を受けると共に、コンプレッサ１１及び切替電磁弁１３を駆動制御するように構成されている。」（第【００１８】段落）
　
カ．「・・・・上庫内温度センサ８からの検出信号と、分圧抵抗１８及び１９により分圧された基準値信号とを比較するコンパレータ２０は、上庫内温度センサ８による検知温度が予め決められたコンプレッサオン温度まで上昇したときに、コンプレッサオン温度検知信号を上記制御回路１７へ与えるようになっている。・・・・」（第【００１９】段落）
キ．「・・・・下庫内温度センサ１０からの検出信号と、分圧抵抗２６及び２７により分圧された基準値信号とを比較するコンパレータ２８は、下庫内温度センサ１０による検知温度が予め決められたコンプレッサオン温度まで上昇したときに、コンプレッサオン温度検知信号を上記制御回路１７へ与えるようになっている。・・・・」（第【００２０】段落）
　
ク．「・・・・通常の運転について、図４に従って述べる。今、時刻ｔ１で、本体１内の温度（庫内温度）が上昇して、上庫内温度センサ８の検知温度及び下庫内温度センサ１０の検知温度がともにコンプレッサオン温度を越えたとする。すると、制御回路１７は、トランジスタ３０及び３３をオンして、コンプレッサ１１を通電駆動すると共に切替電磁弁１３を通電駆動する。これにより、冷媒が切替電磁弁１３により第２のキャピラリチューブ１５即ち第２のエバポレータパイプ５側へ供給されるようになり、第２のエバポレータパイプ５によって本体１内が主として下側から冷却されるようになる。
　この後、本体１内の冷却が進行し、時刻ｔ２で下庫内温度センサ１０の検知温度がコンプレッサオフ温度まで低下すると、制御回路１７は、トランジスタ３３をオフして、切替電磁弁１３を断電する。これにより、切替電磁弁１３が切り替わり、冷媒が第１のキャピラリチューブ１４即ち第１のエバポレータパイプ４側へ供給されるようになり、第１のエバポレータパイプ４によって本体１内の上側が主として冷却されるようになる。そして、本体１内の上側の冷却も進行し、時刻ｔ３で上庫内温度センサ８の検知温度がコンプレッサオフ温度まで低下すると、制御回路１７は、トランジスタ３０をオフして、コンプレッサ１１を断電するようになっている。
　更に、時刻ｔ４で、下庫内温度センサ１０の検知温度が再びコンプレッサオン温度を越えたとすると、制御回路１７は、トランジスタ３０及び３３をオンして、コンプレッサ１１を通電駆動すると共に切替電磁弁１３を通電駆動する。これにより、冷媒が切替電磁弁１３により第２のキャピラリチューブ１５即ち第２のエバポレータパイプ５側へ供給されるようになり、第２のエバポレータパイプ５によって本体１内が主として下側から冷却されるようになる。そして、この状態で、時刻ｔ５において、上庫内温度センサ８の検知温度が再びコンプレッサオン温度を越えたときにも、上記通電状態は変わらないようになっている。更に、時刻ｔ６で、上庫内温度センサ８の検知温度が再びコンプレッサオフ温度まで低下したときにも、上記通電状態は変わらないようになっている。
　この後、時刻ｔ７で、下庫内温度センサ１０の検知温度がコンプレッサオフ温度まで低下すると（同時に上庫内温度センサ８の検知温度もコンプレッサオフ温度まで低下している）、制御回路１７は、トランジスタ３０及び３３をオフして、コンプレッサ１１及び切替電磁弁１３を断電する。即ち、本実施例では、切替電磁弁１３は、下庫内温度センサ１０の検知温度がコンプレッサオン温度を越えたときからコンプレッサオフ温度まで低下するまでの間、オンされるように制御されている。また、コンプレッサ１１は、上庫内温度センサ８又は下庫内温度センサ１０の少なくともいずれか一方の検知温度がコンプレッサオン温度を越えたときから、両方の検知温度が共にコンプレッサオフ温度まで低下するまでの間、オンされるように制御されている。」（第【００２５】段落〜第【００２８】段落）
　
　以上の記載及び図面を参照すると、引用例には、次の発明が記載されていると認められる。
　
　本体１の４つの側壁部及び底壁部並びに扉２は、それぞれ断熱壁から構成され、コンプレッサ１１と、このコンプレッサ１１の吐出側に設けられたコンデンサ１２と、このコンデンサ１２の出口側に設けられた切替電磁弁１３と、この切替電磁弁１３の一方の出口側に設けられた第１のキャピラリチューブ１４並びに前記第１のエバポレータパイプ４及びアキュームレータ６と、上記切替電磁弁１３の他方の出口側に設けられた第２のキャピラリチューブ１５並びに前記第２のエバポレータパイプ５とから構成された冷凍サイクルが組み込まれた冷凍ストッカにおいて、
　扉２の内面部における庫内灯７の近傍部位には、上庫内温度センサ８が配設され、この上庫内温度センサ８により本体１内の上部周辺の温度並びに庫内灯７周辺の温度が検知され、本体１の内底部の右端部には、下庫内温度センサ１０が配設されており、この下庫内温度センサ１０により本体１内の下部周辺の温度が検知され、
　上庫内温度センサ８及び下庫内温度センサ１０からの検出信号を受けると共に、コンプレッサ１１及び切替電磁弁１３を駆動制御するように構成された運転制御手段である制御回路１７とを含み、
　本体１の内底部の右端部には、下庫内温度センサ１０が配設されて、この下庫内温度センサ１０により本体１内の下部周辺の温度を検知し、扉２の内面部における庫内灯７の近傍部位に、上庫内温度センサ８が配設され、この上庫内温度センサ８により本体１内の上部周辺の温度並びに庫内灯７周辺の温度を検知し、
　上庫内温度センサ８からの検出信号と、分圧抵抗１８及び１９により分圧された基準値信号とを比較するコンパレータ２０は、上庫内温度センサ８による検知温度が予め決められたコンプレッサオン温度まで上昇したときに、コンプレッサオン温度検知信号を上記制御回路１７へ与え、下庫内温度センサ１０からの検出信号と、分圧抵抗２６及び２７により分圧された基準値信号とを比較するコンパレータ２８は、下庫内温度センサ１０による検知温度が予め決められたコンプレッサオン温度まで上昇したときに、コンプレッサオン温度検知信号を上記制御回路１７へ与え、下庫内温度センサ１０の検知温度がコンプレッサオフ温度まで低下すると、制御回路１７は、トランジスタ３３をオフして、切替電磁弁１３を断電し、上庫内温度センサ８の検知温度がコンプレッサオフ温度まで低下すると、制御回路１７は、トランジスタ３０をオフして、コンプレッサ１１を断電するようになっている冷凍ストッカ。
　
（２）周知例として特開平８−２２６７５６号公報（以下「周知例１」という。）には、次の事項が図面と共に記載されている。
　
ケ．「・・・・温度センサ３１の取付装置Ｔ２の第２実施例を説明するが、第１実施例と同じ部品については同一符号で示すこととする。筒体２５は外箱２１の背面の把手部１０、１０間に位置する適所に形成された取付口２４から挿入され、外箱２１の背面と内箱２２の背面とを中空状態で連結することは第１実施例と同様であるが図６には示していない。
　４１は布製の両面テープ等の接着部材であり、温度センサ３１及びアルミニウム板３６並びにリード線の一部３２Ａをアルミテープ４２とこの接着部材４１とで挟み込むようにして、予め温度センサ３１を内箱２２の背面に取り付けておくたものものである。・・・・」（第【００３１】段落、第【００３２】段落）
　　
コ．「・・・・取付装置Ｔ２による温度センサ３１の内箱背面への取り付けについて説明する。内フランジ部２８の内面にシール材３０を取り付け外フランジ部２６の内面に両面テープ等の接合部材を付けた筒体２５が、内フランジ部２８側から取付口２４内に挿入して固定してあるものとする。
　まず、予めアルミニウム板３６、温度センサ３１、リード線の一部３２Ａ及びアルミテープ４２を一体化して温度センサ部材をつくっておき、この一体化された温度センサ部材（符号無し）を接着部材４１でもって内箱２２の背面に取り付ける。
　次に、断熱材４４の凹所４５に押え具４３の後部を収納し、リード線３２を断熱材４４の溝部３７に沿って配線して紙テープ４６で固定する。そして、先端にこの押え具４３を収納保持した断熱材４４を筒体２５の筒部２７に挿入し、筒体２５の外フランジ部２６側に蓋体４７を取り付けることにより、断熱材４４及び押え具４３が蓋体４７で内箱２２の背面側に押しつけられて固定される。この状態で押え具４３が温度センサ３１を内箱２２の背面側に押しつけるように作用する。・・・・」（第【００３５】段落〜第【００３７】段落）
　
　以上の記載及び図面を参照すると、周知例１には、次の技術的事項が記載されていると認められる。
　
　センサーが内箱の下部の一領域の表面に接するように設けられ、かかるセンサーが貯蔵室の表面温度を感知するようにした貯蔵庫。
　
（３）周知例として、実願昭５６−６４２２７号（実開昭５７−１７５９８９号）のマイクロフィルム（以下「周知例２」という。）には、次の事項が図面と共に記載されている。
　
サ．「・・・・実施例を図に基づき説明する。（１）は冷却箱体で上面に開口し内箱（２）と外箱（３）との間の空間に現場発泡にて発泡性断熱材（４）が充填されている。上面開口は図示しない扉若しくは蓋にて開閉できる構造である。（５）は内箱（２）で形成された物品貯蔵室で内箱（２）の外面に取りつけた冷凍サイクルの冷却器（６）にて冷却される。（７）は物品貯蔵室（５）の下方に設けた機械室で外箱（３）にて囲まれており冷凍サイクルの電動圧縮機（８）が収納されている。
　（９）は電動圧縮機（８）の運転を制御するサーモスタツトで、図では感温部（１０）とキヤピラリチユーブ（１４）にて連通し内部に温度にて状態変化するガスを封入したべローを有しこのベローの膨張収縮にて電動圧縮機（８）の通電回路を開閉するスイッチ機構を備えた周知のものを示している。（１１）は感温部（１０）を内箱（２）の外面に下方に延在するように略垂直状態にアルミニウムテープにて取りつけた感温部取付具で、直管状をなしていて下端のみ開口しており、内箱（２）に形成した突条（１２）（１２）相互にて位置決めされている。高温部取付具（１１）は内箱（２）若しくは冷却器（６）の温度を感温部（１０）が感知し易いように内箱（２）に取りつけた金属パイプ（１１Ａ）とその下端に連結した合成樹脂のパイプ（１１Ｂ）とから成り、パイプ（１１Ｂ）の外面は下方に向けて徐々に小径となしている。・・・・」（明細書第２頁第１０行〜第３頁第１４行）
　
　以上の記載及び図面を参照すると、周知例２には、次の技術的事項が記載されていると認められる。
　
　内箱で形成された物品貯蔵室の下部の一領域の表面に接するように感温部取付具で感温部（温度センサーに相当する。）を設け、貯蔵室の表面温度を検知するようにした冷却箱体。
　
（４）周知例として、特開平５−２６５５７号公報（以下「周知例３」という。）には、次の事項が図面と共に記載されている。
　
シ．「・・・・従来例を図２に従い説明する。図において、１は野菜貯蔵用冷蔵庫の本体で、外箱２、内箱３およびこれら両箱２、３間に充填された断熱材４によって構成されている。５は本体１の開口面を開閉する扉であり、６は内箱３の断熱材４側側面に密着固定された冷却器パイプである。７は冷凍サイクルの圧縮機であり、８は庫内温度を検知して圧縮機７を運転・停止するサーモスタットである。９は上面が開口した野菜貯蔵容器であり、１０は野菜貯蔵容器９の上部開口面に密接して設けられ、前後にゴム製パッキン（図示せず）が配設されたガラス製蓋体である。・・・・」（第【０００２】段落）
　
　以上の記載及び図面を参照すると、周知例３には、次の技術的事項が記載されていると認められる。
　
　貯蔵室を形成する内箱の上部の一領域にセンサーを設け、かかるセンサーは貯蔵室の庫内温度（貯蔵室の内部空間の温度に相当する。）を感知するようにした野菜貯蔵用冷蔵庫。
　
（５）周知例として、実願平２−１３６６１号（実開平３−１０６４３４号）のマイクロフィルム（以下「周知例４」という。）には、次の事項が図面と共に記載されている。
　
ス．「冷蔵庫のキャビネット１０はほぼ直方体状に構成されており、アウタパネル１１とインナパネル１２との間に発泡樹脂から成る断熱材１３を充填した構造になっている。そしてこのキャビネット１０内にはエバポレータ１４が配されており、駆動ユニット１５内のコンプレッサによって圧縮された冷媒をエバポレータ１４内を循環させるようにしている。
　キャビネット１０の上部開口１８には扉１９が開平可能に取付けられるようになっている。扉１９はアウタパネル２０とインナパネル２１とを備えるとともに、これらの間に同じく発泡樹脂から成る断熱材２２を充填した構造になっている。そして扉１９の底面側には第２図に示すように凹部２３が形成されており、この凹部２３内には温度センサ２４を収納したケース２５がピン２６を介して回動可能に収納されている。
　従ってこのような温度センサ２４を有するケース２５は第１図に示すように、扉１９を閉じるとケース２５自身の重力によってピン２６を中心として回動して垂下され、キャビネット１０内に臨むようになる。すなわちこのケース２５の先端部に設けられている温度センサ２４がエバポレータ１４の表面から遠い位置において、庫内の平均温度に近い値の温度を検出することになる。・・・・温度センサ２４は駆動ユニット１５と接続されており、庫内温度が所定の温度以上に上昇すると、駆動ユニット１５のコンプレッサが駆動されることになり、・・・・」（明細書第５頁第４行〜第６頁第１５行）
　
　以上の記載及び図面を参照すると、周知例４には、次の技術的事項が記載されていると認められる。
　
　キャビネットの上部開口に設けた扉のインナパネルの凹部に温度センサを有するケースを設け、扉１９を閉じるとケース自身の自重により、重力によってピンを中心として回動して垂下され、キャビネット内に臨み、ケースの先端部に設けられている温度センサがエバポレータの表面から遠い位置において、庫内の平均温度に近い値の温度を検出するようにした冷蔵庫の温度測定装置。
　
４．対比・判断
　本願発明（以下、「前者」という。）と引用例に記載された発明（以下、「後者」という。）を対比する。
　後者の「それぞれ断熱壁から構成された４つの側壁部及び底壁部並びに扉２からなる本体１の箱状部分の内部」及び「コンプレッサ１１と、このコンプレッサ１１の吐出側に設けられたコンデンサ１２と、このコンデンサ１２の出口側に設けられた切替電磁弁１３と、この切替電磁弁１３の一方の出口側に設けられた第１のキャピラリチューブ１４並びに前記第１のエバポレータパイプ４及びアキュームレータ６と、上記切替電磁弁１３の他方の出口側に設けられた第２のキャピラリチューブ１５並びに前記第２のエバポレータパイプ５とから構成された冷凍サイクル」は、その作用等からみて、前者の「貯蔵室」及び「貯蔵室の内部温度を調節する温度調節装置」に、それぞれ相当することは明らかである。
　そして、センサの取付位置について、後者の上庫内温度センサと下庫内温度センサは庫内の上部と下部に相互に離れて設けられているので、前者の「相互離れて設けられ、貯蔵室内の内部温度を感知する第１温度センサ及び第２温度センサ」に相当するものである。
　また、後者の「上庫内温度センサ８及び下庫内温度センサ１０からの検出信号を受けると共に、コンプレッサ１１及び切替電磁弁１３を駆動制御するように構成された運転制御手段である制御回路１７」において、制御回路１７と上庫内温度センサ８及び下庫内温度センサ１０からの検出信号を受け、上庫内温度センサ８からの検出信号と、分圧抵抗１８及び１９により分圧された基準値信号とを比較するコンパレータ２０と、下庫内温度センサ１０からの検出信号と、分圧抵抗２６及び２７により分圧された基準値信号とを比較するコンパレータ２８を含めた電気回路部分は、前者の「前記第１及び第２温度センサーの中で少なくとも何れか一つで感知された温度値が予め設定されている前記貯蔵室の設定温度の範囲内に属するかを判断して、前記温度調節装置の運転を制御する制御部」に相当するものである。
　さらに、後者の「上庫内温度センサ８からの検出信号と、分圧抵抗１８及び１９により分圧された基準値信号とを比較するコンパレータ２０は、上庫内温度センサ８による検知温度が予め決められたコンプレッサオン温度まで上昇したときに、コンプレッサオン温度検知信号を上記制御回路１７へ与え、下庫内温度センサ１０からの検出信号と、分圧抵抗２６及び２７により分圧された基準値信号とを比較するコンパレータ２８は、下庫内温度センサ１０による検知温度が予め決められたコンプレッサオン温度まで上昇したときに、コンプレッサオン温度検知信号を上記制御回路１７へ与え、下庫内温度センサ１０の検知温度がコンプレッサオフ温度まで低下すると、制御回路１７は、トランジスタ３３をオフして、切替電磁弁１３を断電し、上庫内温度センサ８の検知温度がコンプレッサオフ温度まで低下すると、制御回路１７は、トランジスタ３０をオフして、コンプレッサ１１を断電する」電気回路は、センサで検知された値と比較されるコンプレッサをオンする値とオフする値の範囲が設定温度の範囲であるから、前者の「制御部には、前記第１温度センサーで感知される温度値と比較される前記貯蔵室の第１設定温度の範囲と、前記第２温度センサーで感知される温度値と比較される前記貯蔵室の第２設定温度の範囲と、が設定されている」ものに相当することも明らかである。
　そして、物品を貯蔵する貯蔵庫が、前者では「冷蔵庫」であるが、後者は「冷凍ストッカ」であるものの、低温で貯蔵する装置としては同様の装置であるので、仮に「低温貯蔵庫」として一致しているとして、後に相違点として検討する。
　そうすると、両者は、次の一致点、相違点を有するものと認められる。
［一致点］
　少なくとも一つの貯蔵室と、前記貯蔵室の内部温度を調節する温度調節装置と、を備える低温貯蔵庫において、
　相互離れて設けられ、貯蔵室内の内部温度を感知する第１温度センサー及び第２温度センサーと；
　前記第１及び第２温度センサーの中で少なくとも何れか一つで感知された温度値が予め設定されている前記貯蔵室の設定温度の範囲内に属するかを判断して、前記温度調節装置の運転を制御する制御部と；を含み、
　前記制御部には、前記第１温度センサーで感知される温度値と比較される前記貯蔵室の第１設定温度の範囲と、前記第２温度センサーで感知される温度値と比較される前記貯蔵室の第２設定温度の範囲と、が設定されていることを特徴とする低温貯蔵庫。
［相違点１］
　低温貯蔵庫が、前者では、冷蔵庫であるのに対して、後者では、冷凍ストッカである点。
［相違点２］
　一方の温度センサが、前者では、「第１及び第２温度センサーの中のいずれか一方は、貯蔵室の下部の一領域の表面に接触するように設けられて前記貯蔵室の表面温度を感知し、」ているものであるが、後者では、一方のセンサである下庫内温度センサは貯蔵室の下部の一領域に設けられ、本体内の下部周辺の温度を検知するものであるが、貯蔵室の下部の一領域の表面に接触するように設けられているかは不明である点。
［相違点３］
　他方の温度センサが、前者では、「第１及び第２温度センサーの他方は、前記貯蔵室の上部の一領域に設けられて前記貯蔵室の内部空間の温度を感知する」ものであるが、後者では、他方のセンサである上庫内温度センサは庫内上部の扉に設けた庫内灯の近傍に設けられているので、本体内の上部周辺の温度と庫内灯周辺の温度も検知するものである点。
　
　上記相違点について検討する。
［相違点１］について
　本願発明の冷蔵庫は食品を冷蔵温度の低温で保存するためのものであり、後者の、冷凍ストッカも食品を冷凍温度の低温で保存するためのものであるが、その相違は、食品を保存する際の温度が相違するにすぎないものであるから、相違点１は、引用例に記載された発明の冷凍温度を、必要に応じ、冷蔵温度に設定を変更することにより当業者が容易に想到できたというべきである。
［相違点２］について
　貯蔵室の下部の一領域の表面に接触するようにセンサを設け、貯蔵室の表面温度を感知することは、従来周知の技術（周知例１、２参照。）（以下「周知技術１」という。）であるから、相違点２は、引用例に記載された下庫内温度センサの取付手段として、周知技術１を適用することにより、当業者が容易に想到できたというべきである。
［相違点３］について
　貯蔵室の上部の一領域にセンサを設け、その際にセンサの近傍には庫内灯は設けず、貯蔵室の内部空間の温度を感知することは、従来周知の技術（周知例３、４参照。）（以下「周知技術２」という。）であるから、相違点３は、引用例に記載された上庫内温度センサの取付手段として、周知技術２を適用することにより、当業者が容易に想到できたというべきである。
　
［作用効果］について
　そして、前者の奏する作用効果も、後者に周知技術１、２を適用したことによる作用効果に比して格別なものとも認められない。
　
　したがって、本願発明は、上記引用例に記載された発明に、適宜の設定の変更と周知技術１、２を適用することにより、当業者が容易に発明をすることができたものである。     　
　
５．むすび
　以上のとおり、本願発明は、引用例に記載された発明と周知技術に基づいて当業者が容易に発明をすることができたものであるから、特許法第２９条第２項の規定により、特許を受けることができない。
　よって、本願のその余の請求項に係る発明について判断するまでもなく、結論のとおり審決する。